(57)【要約】【課題】コスト的に有利であり、尚且つ作業性も良いロータリ耕耘装置用の整地部材を提供すること。【解決手段】可撓性を有し、その上端部がロータリ耕耘装置のカバーの後端部に連結されている横長状の平板１８を備え、平板の下辺部１８ｂに沿った横向き姿勢で横方向に並設されて取り付けられた状態、及び平板１８の横方向の中央部に縦向き姿勢で取り付けられた状態に姿勢変更自在に、金属製の２つの支持板２５を備えており、カバーの後端部の下方に位置するようにロータリ耕耘装置に備えられた固定部に、平板の下辺部１８ｂにおける支持板２５の間の部分を着脱自在に構成するロータリ耕耘装置用の整地部材１７。【選択図】図４
2010172215.tif 000002
【特許請求の範囲】
【請求項１】
可撓性を有し、その上端部がロータリ耕耘装置のカバーの後端部に連結されている横長状の平板を備え、
前記平板の下辺部に沿った横向き姿勢で横方向に並設されて取り付けられた状態、及び前記平板の横方向の中央部に縦向き姿勢で取り付けられた状態に姿勢変更自在に、金属製の２つの支持板を備えており、
前記カバーの後端部の下方に位置するようにロータリ耕耘装置に備えられた固定部に、前記平板の下辺部における前記支持板の間の部分を着脱自在に構成するロータリ耕耘装置用の整地部材。
【請求項２】
前記平板の下端部の横方向中央部に中部材が設けられており、前記２つの支持板のそれぞれの一端が、前記中部材に姿勢変更自在に枢支連結されている請求項１に記載のロータリ耕耘装置用の整地部材。
【請求項３】
前記支持板に整地部が備えられている請求項１又は２に記載のロータリ耕耘装置用の整地部材。
【発明の詳細な説明】
【技術分野】
【０００１】
本発明は、歩行型作業機や乗用型のトラクタに装備されるロータリ耕耘装置に使用される整地部材に関する。
【背景技術】
【０００２】
例えば歩行型作業機においてロータリ耕耘装置を備えた場合、特許文献１及び２に開示されているように、ロータリ耕耘装置(特許文献１の図１の６）のカバー(特許文献１の図１の２０）の後端部に、正面視で横長の長方形状の整地部材（特許文献１の図１及び図２の２１）を連結することがある。
これにより、ロータリ耕耘装置によって耕起された土が、整地部材により受け止められて、整地部材の下辺部によって均平面が形成される（均平作業）。
【０００３】
前述のように、ロータリ耕耘装置によって耕起された土を平面状に形成する均平作業に対して、ロータリ耕耘装置によって耕起された土を右及び左の横側に押し分けて、ロータリ耕耘装置の右及び左の横側に畝を形成する畝立て作業がある。畝立て作業を行う場合には、特許文献１及び２のような整地部材をロータリ耕耘装置から取り外し、特許文献３に開示されているような整地部材（特許文献３の図２の１４）を、ロータリ耕耘装置の後部に連結する。
これにより、ロータリ耕耘装置によって耕起された土が、整地部材により右及び左の横側に押し分けられて、右及び左の横側に畝（右及び左の横側の畝の壁部、畝の底部）が形成される。
【先行技術文献】
【特許文献】
【０００４】
【特許文献１】特開平６−１５３６０４号公報
【特許文献２】特開平６−１５３６０２号公報
【特許文献３】特開２００３−５２２０２号公報
【発明の概要】
【発明が解決しようとする課題】
【０００５】
上記従来の歩行型作業機においては、均平作業及び畝立て作業のそれぞれに対応する２種類の整地部材を用意する必要があると共に、各作業に応じてそれらの整地部材を付け替える必要があるので、コストと作業性の面で改善の余地がある。
本発明の目的は、コスト的に有利であり、尚且つ作業性も良いロータリ耕耘装置用の整地部材を提供することにある。
【課題を解決するための手段】
【０００６】
〔第１発明の構成〕
上記の目的を達成するため、本発明のうちの請求項１に記載の発明では、
可撓性を有し、その上端部がロータリ耕耘装置のカバーの後端部に連結されている横長状の平板を備え、前記平板の下辺部に沿った横向き姿勢で横方向に並設されて取り付けられた状態、及び前記平板の横方向の中央部に縦向き姿勢で取り付けられた状態に姿勢変更自在に、金属製の２つの支持板を備えており、前記カバーの後端部の下方に位置するようにロータリ耕耘装置に備えられた固定部に、前記平板の下辺部における前記支持板の間の部分を着脱自在に構成することを特徴とする。
【０００７】
〔作用及び効果〕
本発明により均平作業を行う場合、平板の下辺部をロータリ耕耘装置の固定部から取り外しておくと共に、金属製の２つの支持板を平板の下辺部に沿う横向き姿勢で横方向に並設した状態に取り付けておく。
これにより、平板の下辺部がロータリ耕耘装置のカバーの後端部から垂れ下がる格好となり、ロータリ耕耘装置によって耕起された土が平板により受け止められて、平板の全体が後方(上方)に移動する状態になると共に、圃場に接地する平板の下辺部によって均平面が形成される。このとき、平板の下辺部に沿う２つの支持板が重しのような役割を果たして平板の下辺部のばたつきが抑えられるので、均平面が安定して形成される。
【０００８】
また本発明により畝立て作業を行う場合、平板の下辺部における２つの支持板の間の部分をロータリ耕耘装置の固定部に連結しておくと共に、金属製の２つの支持板を平板の横方向の中央部に縦向き姿勢で取り付けておく。
これにより、ロータリ耕耘装置によって耕起された土が、平板により受け止められる際、平板の横方向の中央部（下辺部）は後方に移動せず（平板の下辺部における２つの支持板の間の部分がロータリ耕耘装置の固定部に連結されていることによる）、平板の一方及び他方の横側部が後方に移動することになり、平板の一方及び他方の横側部が斜めに後方に折れ曲がるような状態となる（例えば図８参照）。この状態において、平板の中央部（下辺部）によって畝の底部が形成され、平板の折れ曲がった一方及び他方の横側部によって右及び左の横側の畝の壁部が形成される。
【０００９】
従って、本発明によれば一つのロータリ耕耘装置用の整地部材により均平作業及び畝立て作業が行えるようになる。即ち、従来のように各作業に応じて２種類の整地部材を用意する必要がなく、付け替える必要もなくなるので、コスト的に有利であると共に作業性も向上する。
【００１０】
〔第２発明の構成〕
本発明のうちの請求項２に記載の発明では、
前記平板の下端部の横方向中央部に中部材が設けられており、前記２つの支持板のそれぞれの一端が、前記中部材に姿勢変更自在に枢支連結されていることを特徴とする。
【００１１】
〔作用及び効果〕
本発明によれば、支持板を中部材の枢支軸周りに自在に回動させることが可能になる。その結果、支持板の姿勢変更を簡易に行うことができるようになり、作業性がより一層向上する。
【００１２】
〔第３発明の構成〕
本発明のうちの請求項３に記載の発明では、
前記支持板に整地部が備えられていることを特徴とする。
【００１３】
〔作用及び効果〕
本発明によれば、金属製の支持板の整地部によって耕耘地を整地するため、可撓性を有する平板によって耕耘地を整地する場合と比べて、均平作業を行ったときの耕耘地表面の形状がより均一な状態となり易い。
【図面の簡単な説明】
【００１４】
【図１】歩行型作業機の全体側面図
【図２】歩行型作業機の全体平面図
【図３】ロータリ耕耘装置及び整地部材の縦断側面図（均平作業又はメンテナンス時等）
【図４】ロータリ耕耘装置及び整地部材の背面図（均平作業）
【図５】平板、中部材、及び支持板の要部拡大図（ａ）と縦断側面図（ｂ）
【図６】ロータリ耕耘装置及び整地部材の斜視図（均平作業）
【図７】ロータリ耕耘装置及び整地部材の縦断側面図（畝立て作業）
【図８】ロータリ耕耘装置及び整地部材の背面図（畝立て作業）
【発明を実施するための形態】
【００１５】
図１及び図２に示すように、ミッションケース１の下部の右及び左側部に車軸２が備えられて、右及び左の車軸２に走行用の車輪３が連結されており、ミッションケース１の前部に連結された支持フレーム４にエンジン５が支持されて、歩行型作業機が構成されている。ミッションケース１の上部から斜め後方下方に伝動ケース６が延出されて、伝動ケース６から斜め後方上方に操縦ハンドル７が延出されており、伝動ケース６にロータリ耕耘装置８が備えられている。
【００１６】
次に、ロータリ耕耘装置８について説明する。
図１及び図２に示すように、伝動ケース６の下部から右及び左側に駆動軸９が延出されて、右及び左の駆動軸９に複数の耕耘爪１０が固定されており、耕耘爪１０の上方を覆うカバー１１、及び抵抗棒１２等を備えて、ロータリ耕耘装置８が構成されている。右及び左の駆動軸９及び耕耘爪１０は、通常は正転方向（図３の矢印Ａ１の方向）に回転駆動されるのであり、逆転方向（図３の矢印Ａ２の方向）にも回転駆動することが可能である。
【００１７】
次に、カバー１１について説明する。
図３及び図４に示すように、カバー１１は、半円筒状の天井部１１ａの右及び左側部に、扇形状の横壁部１１ｂが連結されて構成され、伝動ケース６の上方、右及び左の駆動軸９及び耕耘爪１０の上方を覆っており、伝動ケース６のブラケット６ａにカバー１１（天井部１１ａ）が連結されている。
【００１８】
次に、抵抗棒１２について説明する。
図３及び図４に示すように、伝動ケース６に固定されたブラケット１３が後方に延出され、幅狭の角パイプ状のブラケット１４がブラケット１３に固定されて、ブラケット１４がカバー１１（天井部１１ａ）の開口部から上方に突出している。ブラケット１４の右側面の開口部（図示せず）には、抵抗棒１２をブラケット１４に固定するためのロックボルト１６が設けられており、ブラケット１４の上部の後方側面には、図３の仮想線に示すように耕耘爪１０のメンテナンス等を行う際に平板１８の中部材２１を掛止することによって平板１８を捲り上げた状態に保持し得る第１フック部１４ａが設けられている。
【００１９】
図３及び図４に示すように、抵抗棒１２は細長い棒状に構成されており、その下部が後方側に屈曲した状態で延出されている。
抵抗棒１２の下部の下側には、断面くの字型で平板状の接地部１２ａが固定されており、抵抗棒１２の下端部には、畝立て作業時に平板１８の中部材２１を掛止するための第２フック部１２ｃ(カバー１１の後端部の下方に位置するようにロータリ耕耘装置８に備えられた固定部に相当）が設けられている。
【００２０】
抵抗棒１２の上部には、その長手方向に沿って、複数個の固定孔１２ｂが開口されている。図３及び図４に示す状態は、抵抗棒１２がブラケット１４に挿入されて、ロックボルト１６が抵抗棒１２の固定孔１２ｂの一つに挿入された状態であり、抵抗棒１２がブラケット１４に固定された状態である。この状態で、伝動ケース６の真後ろに抵抗棒１２が位置しており、カバー１１（天井部１１ａ）の後端部の左右方向中央部の下方に、抵抗棒１２の接地部１２ａが位置している。
【００２１】
図３及び図４に示す状態において、右及び左の駆動軸９及び耕耘爪１０を正転方向（図３の矢印Ａ１の方向）に回転駆動しながら前進することにより、圃場の耕耘（耕起）が行われる。抵抗棒１２の接地部１２ａが圃場に接地することにより、圃場に対するロータリ耕耘装置８の高さが決められて、ロータリ耕耘装置８の耕耘深さが決められる。
【００２２】
本実施形態においては、必要に応じてロータリ耕耘装置８の耕耘深さを変更することができる。例えば、ロータリ耕耘装置８の耕耘深さをより深く設定したいとするなら、ロックボルト１６を回して取り外した後、抵抗棒１２を上方向に移動させ、ロックボルト１６を、抵抗棒１２のより下方に位置する別の固定孔１２ｂに再び螺入して抵抗棒１２を固定すれば良い。これにより、ロータリ耕耘装置８に対する抵抗棒１２（接地部１２ａ）の高さがより高い位置に変更されるため、ロータリ耕耘装置８の耕耘深さもより深く設定される。一方、ロータリ耕耘装置８の耕耘深さをより浅く設定したいとするなら、ロックボルト１６を回して取り外した後、抵抗棒１２を下方向に移動させ、ロックボルト１６を、抵抗棒１２のより上方に位置する別の固定孔１２ｂに再び螺入して抵抗棒１２を固定すれば良い。
【００２３】
次に、整地部材１７について説明する。
図２，図３，図４に示すように、整地部材１７は、可撓性を有するゴム板等により構成される横長状（長方形状）の平板１８と、金属製の中部材２１と、金属製で長板状の２つの支持板２５とを備えて構成されている。尚、中部材２１及び支持板２５の材質としては、例えば、硬質の樹脂板（透明板、着色板等）等、異なる材質のものを採用しても良い。
【００２４】
平板１８の上辺部１８ａ（平板１８の上端部）が、カバー１１（天井部１１ａ）の後端部１１ｃと略同じ長さ（幅）に設定されており、カバー１１（天井部１１ａ）の後端部１１ｃの上面（後面）に沿って、平板１８の上辺部１８ａが載せ付けられており、平板１８の上辺部１８ａと略同じ長さ（幅）を備えた固定部材１９（金属製の細長い平板）が載せ付けられている。固定部材１９の複数箇所において、ボルト２０がカバー１１（天井部１１ａ）の後端部１１ｃ、平板１８の上辺部１８ａ及び固定部材１９に貫通して締め付けられており、固定部材１９及びボルト２０によって、平板１８の上辺部１８ａがカバー１１（天井部１１ａ）の後端部１１ｃに横方向に沿って連結されている。尚、本明細書中、平板１８の表面を歩行型作業機の後方に面する側とし、裏面をロータリ耕運装置８に面する側とする。
【００２５】
図３及び図５に示すように、中部材２１は、平板１８の表面側の下端部の横方向中央部に、座金２３ａを備える２つのボルト２３とナット２４によってその上端部分が固定されている。
図４及び図５に示すように、中部材２１の下部には、２つの支持ピン２２と、これら２つの支持ピン２２の間に２つの掛止片２１ａが設けられており、中部材２１の下端部には、鋸歯状の整地部２１ｂが設けられている。尚、整地部２１ｂの横方向中央には長孔である貫通孔２１ｃ（平板１８の下辺部における支持板２５の間の部分に相当）が設けられており、図３及び図７に示すように、この中部材２１の貫通孔２１ｃを抵抗棒１２の第２フック部１２ｃに着脱自在に掛止させることができるように構成されている。
【００２６】
図５に示すように、支持板２５には、支持板２５の長辺方向に長い長孔２５ａ、均平作業時に中部材２１の掛止片２１ａと当接する被掛止部２５ｂ、中部材２１のボルト２３を導入して掛止可能な導入溝２５ｄ、並びに鋸歯状の整地部２５ｅが設けられている。
長孔２５ａは、支持板２５の端部に設けられており、支持ピン２２の軸部を挿入可能に構成される。
導入溝２５ｄは、支持板２５の長辺部分から内側に向けて円弧状に切り欠かれた溝であり、その末端部分が長辺方向に長い長孔状に形成されている。
整地部２５ｅは、導入溝２５ｄが設けられている長辺とは異なるもう一方の長辺に沿って設けられている。
【００２７】
支持板２５の長孔２５ａの短径の大きさは、支持ピン２２の軸部径よりも大きく、且つ支持ピン２２の頭部径よりも小さく構成されている。そのため、支持ピン２２の軸部を支持板２５の長孔２５ａに挿入して中部材２１に固定することによって、支持板２５は支持ピン２２を支点として円弧運動可能に中部材２１に枢支連結される。その結果、２つの支持板２５は、図４及び図６に示すように平板１８の下辺部に沿った横向き姿勢で横方向に並設されて取り付けられた状態、及び図８に示すように平板１８の横方向の中央部に縦向き姿勢で取り付けられた状態に姿勢変更自在に構成される。
【００２８】
次に、均平作業について説明する。
図４，図５，図６に示すように、均平作業を行う場合、縦向き姿勢にある２つの支持板２５を、支持ピン２２を中心に下方向に回転させることによって、中部材２１のボルト２３を導入溝２５ｄから外し、平板１８の下辺部１８ｂに沿った横向き姿勢で横方向に並設させて、各支持板２５，２５の被掛止部２５ｂ，２５ｂを、中部材２１の掛止片２１ａ，２１ａの下面部にそれぞれ当接させることで、２つの支持板２５，２５がその自重により固定されるように構成されている。このとき、図４に示すように中部材２１の整地部２１ｂと２つの支持板２５，２５の整地部２５ｅとが直線状に連設される。尚、均平作業においては、中部材２１の貫通孔２１ｃを、抵抗棒１２の第２フック部１２ｃには掛止させずに取り外した状態としておく。
【００２９】
この状態において、図４，図５，図６に示すように、平板１８の下辺部１８ｂが、２つの支持板２５により支持された状態でカバー１１（天井部１１ａ）の後端部１１ｃから垂れ下がる格好となる。
【００３０】
図６に示すように、機体の前進に伴い、ロータリ耕耘装置８において、右及び左の駆動軸９及び耕耘爪１０を正転方向（図３の矢印Ａ１の方向）に回転駆動することにより、耕起された土が平板１８の裏面により受け止められて、平板１８の全体が後方(上方）に移動する状態となるのであり、平板１８の下辺部１８ｂに設けられている中部材２１と２つの支持板２５によって均平面が形成される。
【００３１】
次に、畝立て作業について説明する。
図７及び図８に示すように、畝立て作業を行う場合、横向き姿勢にある２つの支持板２５を、支持ピン２２を中心に上方向に回転させることによって平板１８の横方向の中央部に縦向き姿勢として、中部材２１のボルト２３を支持板２５の導入溝２５ｄ内に導入して、ボルト２３の座金２３ａを導入溝２５ｄの長孔部に掛止させることで、２つの支持板２５がその自重により固定されるように構成されている。尚、畝立て作業においては、抵抗棒１２の第２フック部１２ｃを、中部材２１の貫通孔２１ｃに挿入して掛止させることによって、中部材２１と抵抗棒とを連結状態にしておく。
【００３２】
この状態において、図７及び図８に示すように、機体の前進に伴い、ロータリ耕耘装置８において、右及び左の駆動軸９及び耕耘爪１０を正転方向（図７の矢印Ａ１の方向）に回転駆動することにより、耕起された土が平板１８により受け止められる際、平板１８の中央部（下辺部１８ｂ）は後方に移動せず（中部材２１が抵抗棒１２に連結されていることによる）、平板１８の一方及び他方の横側部が後方に移動することになる。
【００３３】
これにより、図４に示すように、中部材２１の左右両端部を起点とし、平板１８における一点鎖線Ｂ１の付近を折り曲げ線として、図８に示すように、平板１８の一方及び他方の横側部が斜めに後方に折れ曲がるような状態となる。この状態において、平板１８の中央部（下辺部１８ｂ）及び中部材２１によって畝Ｃの底部Ｃ１が形成され、平板１８の折れ曲がった一方及び他方の横側部によって、右及び左の横側の畝Ｃの壁部Ｃ２が形成される。
【００３４】
この場合、中部材２１が抵抗棒１２に連結されていることにより、畝Ｃの底部Ｃ１が安定して形成されるのであり、右及び左の横側の畝Ｃの壁部Ｃ２と畝Ｃの底部Ｃ１との間の部分も、角部状に明確に形成される。平板１８の一方及び他方の横側部が斜めに後方に折れ曲がるような状態となることにより、右及び左の横側の畝Ｃの壁部Ｃ２が安定して形成される。
【００３５】
以上より、本実施形態のロータリ耕耘装置用の整地部材によれば、１つのロータリ耕耘装置用の整地部材１７により均平作業及び畝立て作業が行えるようになる。即ち、従来のように各作業に応じて２種類の整地部材を用意する必要がなく、付け替える必要もなくなるので、コスト的に有利であると共に作業性も向上する。
【００３６】
また、支持板２５を中部材２１の支持ピン２２（枢支軸）周りに自在に回動させることによって、支持板２５の姿勢変更を簡易に行うことができるようになり、作業性がより一層向上する。
【００３７】
その上、金属製の支持板２５の整地部２５ｅによって耕耘地を整地するため、可撓性を有する平板１８によって耕耘地を整地する場合と比べて、均平作業を行ったときの耕耘地表面の形状がより均一な状態となり易い。
【００３８】
〔別実施形態〕
〔１〕前述の実施形態における支持板２５は、平板１８に対して着脱自在な構成とすることによって横向き姿勢と縦向き姿勢とを姿勢変更自在に構成するようにしても良い。尚、本実施形態においては、中部材２１を廃止しても良い。
〔２〕前述の実施形態における中部材２１と支持板２５において、整地部２１ｂ，２５ｅを設けない構成としても良い。従って本実施形態において均平作業を行う場合、圃場に接地する平板１８の下辺部１８ｂによって均平面が形成される。このとき、平板１８の下辺部１８ｂに沿う２つの支持板２５が重しのような役割を果たして平板１８の下辺部１８ｂのばたつきが抑えられるので、均平面が安定して形成される。
〔３〕本発明は、走行用の車輪２とロータリ耕耘装置とを別々に備えた歩行型作業機ばかりではなく、図１及び図２において走行用の車輪３を廃止し、右及び左の車軸２に耕耘爪１０を連結してロータリ耕耘装置８を構成した歩行型作業機や、乗用型のトラクタに装備されるロータリ耕耘装置８にも適用できる。
【産業上の利用可能性】
【００３９】
以上説明したように、本発明は、歩行型作業機や乗用型のトラクタに装備されるロータリ耕耘装置に使用される整地部材に有用であり、コスト削減と作業性の向上を図る場合に適している。
【符号の説明】
【００４０】
８      ロータリ耕耘装置
１１    カバー
１２ｃ  第２フック部（固定部）
１７    整地部材
１８    平板
１８ｂ  下辺部
２１    中部材
２１ｃ  貫通孔（支持板の間の部分）
２５    支持板
２５ｅ  整地部
【図１】
2010172215.tif 000003
【図２】
2010172215.tif 000004
【図３】
2010172215.tif 000005
【図４】
2010172215.tif 000006
【図５】
2010172215.tif 000007
【図６】
2010172215.tif 000008
【図７】
2010172215.tif 000009
【図８】
2010172215.tif 000010